【手続補正書】
【提出日】平成16年4月30日(2004.4.30)
【手続補正１】
【補正対象書類名】明細書
【補正対象項目名】特許請求の範囲
【補正方法】変更
【補正の内容】
【特許請求の範囲】
【請求項１】
金具プレートに樹脂被覆材をモールド成形してスリップアンカを製造し、このスリップアンカは車体側に取り付けられるアンカ取付部と、ウェビングをその長手方向に摺動可能に案内するウェビング挿通用案内路を備えたウェビング案内部とを一体成形したシートベルト装置用スリップアンカにおいて、前記ウェビング案内部はウェビングを摺動自在に支持させるウェビング支持部と、このウェビング支持部からウェビング引出し側に屈曲させた庇状のガイドベロー部とを一体に備え、上記ウェビング支持部とガイドベロー部との間にウェビング挿通用案内路を形成したことを特徴とするシートベルト装置用スリップアンカ。
【請求項２】
前記ウェビング支持部は、ウェビング挿通用案内路に面して横断面円弧状のウェビング係合摺動面を形成し、このウェビング係合摺動面は横断面の曲率半径を８ｍｍ〜１０ｍｍとした請求項１記載のシートベルト装置用スリップアンカ。
【請求項３】
前記ガイドベロー部は、先端部表面側を弧状湾曲面に、先端部裏面側をプレート状案内面にそれぞれ形成し、プレート状案内面から弧状湾曲面にかけて滑らかな連続面で接続する一方、前記ガイドベロー部のプレート状案内面の延長線はウェビング支持部のウェビング引出し側でウェビング係合摺動面に外接あるいはその近傍を通るように形成した請求項１記載のシートベルト装置用スリップアンカ。
【請求項４】
前記ガイドベロー部は、車体側へのスリップアンカ取付状態で、ウェビング支持部のウェビング係合摺動面の頂面を通る水平面近傍まで延びて終端しており、前記ガイドベロー部とウェビング支持部との間に形成されるウェビング挿通用案内路はウェビングの厚さの２倍以下の通路間隙を有する請求項１記載のシートベルト装置用スリップアンカ。
【請求項５】
前記ウェビング案内部のウェビング挿通用案内路は、ウェビングの幅に対応する直線状ガイド部と、このガイド部の両端部から滑らかに立ち上がる弧状の湾曲逃げ部とを有し、前記ウェビング支持部は直線状ガイド部から湾曲逃げ部の湾曲部にかけた領域で半円弧状横断面を有する形状に構成した請求項１記載のシートベルト装置用スリップアンカ。
【請求項６】
前記ウェビング挿通用案内路の両側に形成される湾曲逃げ部は弧状の湾曲部とこの湾曲部から基端側に延びる直線部とを有し、上記弧状湾曲部に対応するウェビング支持部は直線状ガイド部から直線部にかけて円弧状横断面の曲率半径が漸次小さくなるように形成し、湾曲逃げ部の直線部では湾曲部から半円弧状横断面を滑らかに連続させる一方、上記直線部に対応するガイドベロー部はプレート状案内面の先端側の曲率半径を湾曲逃げ部の曲線部から基端側に向けて漸次大きくなるように形成した請求項５記載のシートベルト装置用スリップアンカ。
【請求項７】
前記ウェビング案内部は、ウェビング挿通用案内路の直線状ガイド部に対応するウェビング支持部にスリッププレートを装着し、このスリッププレートで横断面円弧状のウェビング係合摺動面を形成した請求項１または５記載のシートベルト装置用スリップアンカ。
【請求項８】
前記スリッププレートは、弾性係数の大きなばね部材で形成され、横滑り防止手段を備えた請求項７記載のシートベルト用スリップアンカ。
【請求項９】
前記横滑り防止手段は、スリッププレートに左右対称に２箇所ずつ設けられ、かつ、円弧状方向に延びる長穴とした請求項８記載のシートベルト用スリップアンカ。
【請求項１０】
前記横滑り防止手段は、スリッププレートに左右対称に１箇所ずつ設けられ、かつ、円弧状方向に延びる長穴とした請求項８記載のシートベルト用スリップアンカ。
【請求項１１】
前記横滑り防止手段は、長円形、ひし形、三角形または四角形に形成された長穴とした請求項８から１０いずれか記載のシートベルト用スリップアンカ。
【請求項１２】
帯状鋼板をプレス成形して金具プレートを成形し、この金具プレートのプレス成形時に金具プレートのプレート取付部とアンカ案内部を所要の角度で屈曲成形するとともに、アンカ案内部からプレートベロー部をさらに所要の角度で屈曲成形させ、続いて屈曲成形された金具プレートをモールド成形により樹脂被覆材を被着させてスリップアンカを製造することを特徴とするスリップアンカの製造方法。
【請求項１３】
金具プレートのプレス成形時に、アンカ案内部に穿設されるウェビング挿通孔の少なくともウェビング係合側縁部を両側に膨出させて円弧状膨出部を形成する請求項１２記載のスリップアンカの製造方法。
【請求項１４】
金具プレートに樹脂被覆材をモールド成形してスリップアンカを製造し、このスリップアンカは車体側に取り付けられるアンカ取付部と、ウェビングをその長手方向に摺動可能に案内するウェビング挿通用案内路を備えたウェビング案内部とを一体成形したシートベルト装置用スリップアンカにおいて、前記ウェビング案内部は、ウェビングを摺動自在に支持させるウェビング支持部と、このウェビング支持部のウェビング引出し側に屈曲させた金具プレートの庇状プレートベロー部とを一体に成形し、上記プレートベロー部にガイドカバーをワンタッチで装着してガイドベロー部を構成し、上記ガイドベロー部とウェビング支持部との間にウェビング挿通用案内路を形成し、前記ウェビング支持部はウェビング挿通用案内路に面して横断円面弧状のウェビング係合摺動面を形成したことを特徴とするシートベルト装置用スリップアンカ。
【請求項１５】
ばね部材で形成されたスリッププレートのトレーリングエッジ側の係止部を押えローラでウェビング支持部の一方の顎部に押し付けて保持させた状態で、前記スリッププレートのリーディングエッジ側の係止部をばね部材製のフックメンバと係合させてウェビング支持部に巻き付けるように引き寄せ、前記フックメンバにて前記スリッププレートのリーディングエッジ側を前記ウェビング支持部の円弧面に沿って前記ウェビング支持部の他方の顎部まで引き寄せた後、前記フックメンバを引き抜きつつ、前記スリッププレートを前記ウェビング支持部の円弧面側に手動あるいは自動的に押し付け、前記スリッププレートのばね力により、前記リーディングエッジ側の係止部を前記ウェビング支持部の他方側の顎部に当接させて係止させ、前記スリッププレートのばね作用により前記スリップアンカの前記ウェビング支持部に前記スリッププレートを装着することを特徴とするスリップアンカの製造方法。
【手続補正２】
【補正対象書類名】明細書
【補正対象項目名】００２６
【補正方法】変更
【補正の内容】
【００２６】
他方、本発明に係るシートベルト装置用スリップアンカは、上述した課題を解決するために、請求項１４に記載したように、金具プレートに樹脂被覆材をモールド成形してスリップアンカを製造し、このスリップアンカは車体側に取り付けられるアンカ取付部と、ウェビングをその長手方向に摺動可能に案内するウェビング挿通用案内路を備えたウェビング案内部とを一体成形したシートベルト装置用スリップアンカにおいて、前記ウェビング案内部は、ウェビングを摺動自在に支持させるウェビング支持部と、このウェビング支持部のウェビング引出し側に屈曲させた金具プレートの庇状プレートベロー部とを一体に成形し、上記プレートベロー部にガイドカバーをワンタッチで装着してガイドベロー部を構成し、上記ガイドベロー部とウェビング支持部との間にウェビング挿通用案内路を形成し、前記ウェビング支持部はウェビング挿通用案内路に面して横断円面弧状のウェビング係合摺動面を形成したものである。
さらに、本発明に係るスリップアンカの製造方法は、上述した課題を解決するために、請求項１５に記載したように、ばね材料で形成されたスリッププレートのトレーリングエッジ側の係止部を押えローラでウェビング支持部の一方の顎部に押し付けて保持させた状態で、前記スリッププレートのリーディングエッジ側の係止部をばね材料製のフックメンバと係合させてウェビング支持部に巻き付けるように引き寄せ、前記フックメンバにて前記スリッププレートのリーディングエッジ側を前記ウェビング支持部の円弧面に沿って前記ウェビング支持部の他方の顎部まで引き寄せた後、前記フックメンバを引き抜きつつ、前記スリッププレートを前記ウェビング支持部の円弧面側に手動あるいは自動的に押し付け、前記スリッププレートのばね力により、前記リーディングエッジ側の係止部を前記ウェビング支持部の他方側の顎部に当接させて係止させ、前記スリッププレートのばね作用により前記スリップアンカの前記ウェビング支持部に前記スリッププレートを装着することを特徴とする方法である。
【手続補正３】
【補正対象書類名】明細書
【補正対象項目名】００３６
【補正方法】変更
【補正の内容】
【００３６】
ウェビング係合摺動面２２は、ウェビング支持部１６の横断面円弧状部をスリッププレート２３で巻装し、組み付けて覆設することにより形成される。スリッププレート２３は弾性係数の大きなばねプレートであり、このスリッププレート２３がウェビング支持部１６の横断面円弧状の直線部分を覆設している。スリッププレート２３はトレーリングエッジとリーディングエッジの両端部がウェビング支持部１６の顎部に掛止めされて、ウェビング支持部１６に一体的に装着される。ウェビング係合摺動面２２は、曲率半径８ｍｍ〜１０ｍｍ程度、例えば９ｍｍで湾曲成形され、ウェビング挿通用案内路１８を案内され、向きが反転されるウェビングＷを大きな接触面積で滑らかにスライド自在に支持し、ウェビングＷのスライド性を向上させている。
【手続補正４】
【補正対象書類名】明細書
【補正対象項目名】００６０
【補正方法】変更
【補正の内容】
【００６０】
アンカ案内部２７のウェビング挿通孔３２には少なくともウェビング係合側縁部を金具プレート１１の左右両側に盛り上がらせて横断面円弧状膨出部３６が形成される。このウェビング挿通孔３２の少なくともウェビング係合側縁部に形成される円弧状膨出部３６は前述した特開平８−１８８１１７号公報開示のプレス装置によりプレス成形時に形成される。スリップアンカ１０のウェビング支持部１６にスリッププレート２３を組み付けて装着する場合には、円弧状膨出部３６の成形は必ずしも必要ではない。